(57)【要約】      （修正有）【課題】操作性のよい色見台を有する印刷機を提供する。【解決手段】色見台は、本体２０とカバー３０により構成されている。本体２０は排紙部上に固設されたベースに移動不能に固定されている。カバー３０は、排紙部の側面に設けられ、排紙部のフレームＣ１に軸Ｏを中心として回動可能に設けられている。カバー３０が閉じたときに本体２０と共に用紙の載置面を形成するべく、窓３１が設けられ、載置面Ｓ３として機能する。【選択図】図３
2014019115.tif 000002
【特許請求の範囲】
【請求項１】
給紙部と、該給紙部から供給される用紙を印刷可能な印刷部と、該印刷部にて印刷された用紙を排紙可能な排紙部と、排紙部上に設けられ、用紙を載置可能な色見台とを備えた印刷機において、
該排紙部の側部に設けられたカバーが該色見台の一部を構成することを特徴とする印刷機。
【請求項２】
該カバーは該排紙部に開閉可能に設けられており、該カバーにはカバー内を視認可能な窓が設けられており、該カバーが閉じた時の該窓が形成される面の角度を操作者の視線に対して略直角としたことを特徴とする請求項１記載の印刷機。
【発明の詳細な説明】
【技術分野】
【０００１】
本発明は、印刷物の印刷状態を確認する時に、枚葉紙を載置可能な色見台を有する印刷機に関する。
【背景技術】
【０００２】
従来から印刷部にて印刷された後、排紙部に排紙された印刷物を、排紙部上に設けられた色見台に載置して、印刷状態を確認できる印刷機が使用されている。色見台は印刷物を載置して色等を見る（確認する）機能を充足するために、排紙部の操作者側端部（用紙の搬送方向下流側端部）に配置されることが好ましい。
【０００３】
一方、操作者側端部に色見台を設けると、この部分から排紙状態が確認できず、視認性が悪くなるという問題がある。とはいえ、視認性向上のために、色見台を排紙部の上流側に離した状態で設けると、色見台の操作性に影響を及ぼすという問題がある。この問題を解決するため、特許文献１には色見台を可動式にした印刷機の開示がある。
【先行技術文献】
【特許文献】
【０００４】
【特許文献１】特許第３９３８９０７号公報
【発明の概要】
【発明が解決しようとする課題】
【０００５】
特許文献１の構成は、色見台を可動式にして所望の箇所に移動できる反面、その移動が煩雑であるという問題があった。というのも、色見台を色見台として機能させたい（印刷物を載置した状態で印刷物を確認する）場合、色見台を手前にスライドさせたり下方に移動させたりするのであるが、その都度この作業をするのは煩雑であり改善の余地があった。
【０００６】
また、可動式にしたために、構造が複雑となり、重量が増加する上、コスト高となり、耐久性の面でも問題があった。
【０００７】
本発明はこのような問題を解決するためになされたもので、その目的は、操作性のよい色見台を有する印刷機を提供することである。
【課題を解決するための手段】
【０００８】
本発明は上記目的を達成するため、給紙部と、該給紙部から供給される用紙を印刷可能な印刷部と、該印刷部にて印刷された用紙を排紙可能な排紙部と、排紙部上に設けられ、用紙を載置可能な色見台とを備えた印刷機において、該排紙部の側部に設けられたカバーが該色見台の一部を構成することを特徴とする。
【０００９】
また、本発明は、該カバーは該排紙部に開閉可能に設けられており、該カバーにはカバー内を視認可能な窓が設けられており、該カバーが閉じた時の該窓が形成される面の角度を操作者の視線に対して略直角としたことを特徴とする。
【発明の効果】
【００１０】
本発明に係る印刷機によれば、色見台の可動操作をしなくても、印刷物を色見台に載置して印刷状態の確認が行え、作業性のよい印刷機を得ることができる。また、カバーが色見台の機能を兼用するので、構成が簡略化される。
【００１１】
また、カバーを開いて排紙部のメンテナンスが容易に行えると共に、カバーが閉じた状態でも排紙部内の視認性が優れた印刷機を得ることができる。
【図面の簡単な説明】
【００１２】
【図１】本発明に係る印刷機の一実施形態の概略構成を示す側面図である。
【図２】排紙部から給紙部方向へ見た色見台の正面斜視図である。
【図３】色見台の一部を省略した側面断面図である。
【発明を実施するための形態】
【００１３】
以下、本発明に係る実施の形態について図面を参照しながら説明する。なお、図１において、実質的に同様の構成、作用を有する部品には同じ参照符号を付してある。
【００１４】
図１に示す印刷機は、給紙部Ａ、印刷部Ｂ及び排紙部Ｃを備えている。給紙部Ａは、フィーダーボード１を介して枚葉紙を印刷部Ｂに供給することができる。印刷部Ｂは、給紙部Ａから供給される枚葉紙を印刷することができ、複数の印刷ユニット（ここでは４台の印刷ユニットＢ１〜Ｂ４）を備えている。また、排紙部Ｃは、印刷部Ｂにて印刷された印刷物Ｑを排紙することができる（図２）。この印刷機では、給紙部Ａから枚葉紙が印刷部Ｂに供給され、当該供給された枚葉紙が印刷部Ｂにおける各印刷ユニットＢ１〜Ｂ４にて印刷された後、当該印刷された印刷物Ｑが排紙部Ｃにて排紙される。
【００１５】
給紙部Ａは複数の枚葉紙を収容することができるものであり、上端の枚葉紙から１枚ずつ引き出し、フィーダーボード１を介して枚葉紙を印刷部Ｂに向けて搬送することができるものである。これにより、枚葉紙を印刷部Ｂに供給することができる。
【００１６】
印刷部Ｂの各印刷ユニットＢ１〜Ｂ４は、それぞれ、図示しない版胴、ゴム胴及び圧胴を主要構成要素の一組として構成されるものである。各印刷ユニットの圧胴間には渡し胴が設けられ、枚葉紙が搬送されることとなる。
【００１７】
各印刷ユニットＢ１〜Ｂ４において、版胴には印刷用の版（図示省略）が配設される。この版には図示しないインキローラ群及び給水装置からインキ及び水が供給され、版に従ってインキがゴム胴に転写される。そしてゴム胴に転写されたインキがゴム胴及び圧胴に挟持されつつ搬送されてくる枚葉紙にさらに転写される。これにより、給紙部Ａから供給される枚葉紙に対してそれぞれに設けられた版に対応して印刷を行うことができる。
【００１８】
排紙部Ｃは、搬送部と収容部を備えており、印刷部Ｂにて印刷後、搬送されてくる印刷物Ｑが搬送部に沿って搬送され、収容部に送られる（図２）。排紙部Ｃ上にはタッチパネル式モニタであるコントロールパネル２が設けられている。また、色見台Ｄが同じく排紙部Ｃ上に設けられている。
【００１９】
色見台Ｄは図１〜３に示すとおり、本体２０とカバー３０により構成されている。本体２０は排紙部Ｃ上に固設されたベース２１に移動不能に固定されている。本体２０は図２、３中下方に段部を有して肉厚に形成されており、この段部が第１ストッパ２２として用紙を載置したときの用紙下端の受部となる。上方の肉薄部は載置面Ｓ１として機能する。
【００２０】
肉厚部は載置面Ｓ２となっており、ここにはインキツボキーの調整ボタン２３が複数、用紙の幅方向に設けられており、インキ供給量の調整ができるように構成されている。肉厚部の下端には第２ストッパ２４が固定されている。第２ストッパ２４に用紙下端を受けさせ、載置面Ｓ２、あるいは載置面Ｓ１、Ｓ２に用紙を載置することもできる。この場合、用紙で調整ボタン２３の一部または全部が隠れることとなるが、用紙が薄くて調整ボタン２３が透けて見える場合などは、用紙の上からボタン操作をすることもできる。
【００２１】
カバー３０は図３に示すとおり、排紙部Ｃの側部に設けられ、排紙部ＣのフレームＣ１に軸Ｏを中心として回動可能に設けられている。図３の実線位置はカバー３０が閉じた時の状態を、二点鎖線の位置はカバー３０が開いた状態を示す。カバー３０が開いた時、印刷機は運転が開始できないように、また、運転中の印刷機は非常停止するように制御される。
【００２２】
図２、３に示すとおり、カバー３０が閉じたときに前述の本体２０と共に用紙の載置面を形成するべく、窓３１が設けられ、載置面Ｓ３として機能する。前述の第２ストッパ２４の上面はこの載置面Ｓ３と略面一になるように設けられている。そして、載置面Ｓ３の下端には第３ストッパ３２が固定されており、第３ストッパ３２に用紙下端を受けさせ、載置面Ｓ３、あるいは載置面Ｓ２、Ｓ３、あるいは載置面Ｓ１、Ｓ２、Ｓ３に用紙を載置することもできる。
【００２３】
この窓３１は透明のアクリルで構成され、カバー３０が閉じていても印刷物Ｑの排紙状態が確認できるようになっているが、強化ガラスで構成されてもよい。更にカバーが閉じた時の窓３１が形成される面（載置面Ｓ３）は、印刷機の操作者の視線Ｌ（図３）と略直角になるよう構成されており、より視認性が向上するようになっている。具体的には、印刷機の設置面に対して５０度〜６０度となるように構成される。
【００２４】
カバー３０には開閉用の取手３３が設けられている他、下端にはゴムダンパ３４が設けられる。ゴムダンパ３４はカバー３０を閉じた時、フレームＣ１に固定されたステー３に当接するようになっている。また、カバー３０が閉じた時、図示しないマグネットの作用により閉状態が維持されるようになっている。
【００２５】
カバー３０の載置面Ｐ３に対する裏側にはレバー３５が回動可能に設けられている。レバー３５はカバー３０の閉状態ではフレームＣ１に固定されたシャフト４に当接している。取手３３を持ってカバー３０を開けていくと、レバー３５はシャフト４に当接しながら回動する。レバー３５の切り欠き３５ａがシャフト４に望むとレバー３５が更に回動し、切欠き３５ａとシャフト４とが係合すると、カバー３０は開状態を維持できるようになっている。
【００２６】
このように、排紙部Ｃのカバー３０が閉状態において、色見台Ｄの一部を兼ねるので、従来よりも色見台Ｄが下方かつ操作者側（用紙の搬送方向に向かって下流側）に配置され、常に印刷物Ｑの状態確認がしやすい状況にあり、作業性がよい。色見台Ｄを使用しない場合は、カバー３０の窓３１から、もしくはカバー３０を開けることにより排紙状態が確認できる。
【００２７】
特にカバー３０が閉状態で色見台の機能を果たすので、印刷機の運転中に印刷物Ｑの印刷状態を確認できる利点がある。
【００２８】
また、カバー３０は回動可能に構成されてメンテナンス性に優れ、カバー３０の閉状態で窓３１を通して排紙部内の状態が確認でき、更に窓３１の面が操作者の視線と略直角となるのでより視認性が高まる。この視認性は、カバー３０の開状態とほぼ同等である。
【００２９】
また、カバー３０の開状態でも本体２０を使用することにより、色見台としての機能を発揮することが可能である。
【００３０】
また、第３ストッパ３２を載置面Ｓ３の中央付近に用紙幅方向に渡って設け、載置面Ｓ３の下端に調整ボタン２３を設けるようにしてもよい。このようにすれば、調整ボタン２３が用紙により隠されることなく、操作が可能となる。
【００３１】
尚、本発明は、前述の実施形態に限定されるものではなく、本発明の要旨を逸脱しない範囲で種々の変更が可能である。例えば、前述の実施形態ではカバー３０を回動可能に構成したが、スライド等の開閉方式も採用が可能である。また、前述の実施形態では、枚葉オフセット印刷機であったが、これに限定されず、色見台を有するものであれば、グラビア印刷機やフレキソ印刷機のようなものであってもよい。
【産業上の利用可能性】
【００３２】
本発明に係る印刷機は、色見台を有する印刷機において極めて有用である。
【符号の説明】
【００３３】
４…シャフト、２０…本体、２２…第１ストッパ、２４…第２ストッパ、３０…カバー、３１…窓、３２…第３ストッパ、３５…レバー、Ａ…給紙部、Ｂ…印刷部、Ｃ…排紙部、Ｄ…色見台、Ｌ…操作者の視線、Ｏ…軸、Ｓ１…載置面、Ｓ２…載置面、Ｓ３…載置面
【図１】
2014019115.tif 000003
【図３】
2014019115.tif 000004
【図２】
2014019115.tif 000005